(57)【要約】【課題】棟を構成する部材の腐食が進行しにくい棟下地及び棟の施工方法を提供する。【解決手段】棟下地２０は、屋根材１５の表面１５Ａ上にて直接的にまたは間接的に設けられる平板部２１と、平板部２１の両端部において表面１５Ａに対して起立するように設けられる起立部２２、２３と、左側の起立部２２を起点にして左方向へ延びると左側平行部２４と、右側の起立部２３を起点にして右方向へ延びると右側平行部２５と、左側平行部２４から表面１５Ａに向かって延びる左側延設部２６と、右側平行部２５から表面１５Ａに向かって延びる右側延設部２７と、を備える。【選択図】図１
2020172764.tif 000002
【特許請求の範囲】
【請求項１】
棟の左右両側において別々に設けられることが可能な棟下地であって、
野地板の板面上にて直接的にまたは間接的に設けられる平板部と、
前記平板部の両端部において前記板面に対して起立するように設けられる起立部と、
左右の前記起立部を起点にして左右方向へ延びるとともに、前記平板部と平行となる平行部と、
左右の前記平行部から前記板面に向かって延びる延設部と、を備え、
前記平板部と前記延設部の先端とが面一となっていることを特徴とする棟下地。
【請求項２】
左右の前記平行部が面一となっており、
片面塗装の金属板であって、
前記棟下地の未塗装面は内側を向いていることを特徴とする請求項１記載の棟下地。
【請求項３】
前記野地板に対して連結する連結部材を備え、
前記平板部には、前記連結部材の貫通位置が設定されていることを特徴とする請求項１または２記載の棟下地。
【請求項４】
前記平板部のうち前記板面側を向く面に、シール材充填溝が形成され、
前記野地板の上に設置した場合の前記棟下地の姿勢において、
前記シール材充填溝は前記連結部材の貫通位置よりも下側に位置することことを特徴とする請求項１ないし３のうちいずれか１項記載の棟下地。
【請求項５】
野地板の板面上にて直接的にまたは間接的に設けられる平板部と、
前記平板部の両端部において前記板面に対して起立するように設けられる起立部と、
左右の前記起立部を起点にして左右方向へ延びるとともに、前記平板部と平行となる平行部と、
左右の前記平行部から前記板面に向かって延びる延設部と、を備え、
前記野地板の上に設置した場合の前記棟下地の姿勢における下方側の前記延設部の先端は、前記平板部よりも前記板面側へ向かって突出していることを特徴とする棟下地。
【請求項６】
野地板の板面上にて直接的にまたは間接的に設けられる平板部と、
前記平板部の両端部において前記板面に対して起立するように設けられる起立部と、
左右の前記起立部を起点にして左右方向へ延びるとともに、前記平板部と平行となる平行部と、
左右の前記平行部から前記板面に向かって延びる延設部と、を備え、
前記野地板の上に設置した場合の前記棟下地の姿勢における下方側の前記延設部の先端は、前記平板部よりも前記板面から遠ざかっていることを特徴とする棟下地。
【請求項７】
前記延設部の先端が折り返しされていることを特徴とする請求項１ないし６のうちいずれか１項記載の棟下地。
【請求項８】
連結部材を用いて、野地板に対して請求項１ないし３のうちいずれか１項記載の棟下地を連結する施工方法であって、
前記連結部材を前記平板部に貫通することを特徴とする施工方法。
【請求項９】
連結部材を用いて、野地板に対して請求項１ないし３のうちいずれか１項記載の棟下地を連結する施工方法であって、
前記平板部に設けられたシール材充填溝にシール材を充填するステップと、
前記シール材充填溝が前記野地板側に向いた姿勢で、前記棟下地を前記野地板の上に設置するステップと、
前記棟下地を前記野地板に固定する固定ステップと、
を備え、
前記固定ステップでは、前記シール材充填溝よりも上側の前記平板部にて、前記連結部材を貫通させることを特徴とする施工方法。
【発明の詳細な説明】
【技術分野】
【０００１】
本発明は、棟下地及び棟の施工方法に関する。
【背景技術】
【０００２】
家屋の施工においては、特に屋根の頂部である棟に雨水が侵入しないように構成することが要求されている。又、棟は家屋の頂部にあたるため、丈夫な棟構造を損なうことなく可能な限り軽量に構成することが望まれている。図７は従来の、モルタルや棟土を使わずに施工される棟の構成を示す断面図である。図７に示す従来の棟は、木製の板状部材である棟下地１０１を屋根頂部の屋根材１０３の上に配置し、その上に棟部材１１０を載置して固定するようにしている。すなわち、棟下地１０１を台材として用い、棟部材１１０をこれで支持するようにしている（例えば、特許文献１）。  
【先行技術文献】
【特許文献】
【０００３】
【特許文献１】実公昭５４−２０５１７号公報
【発明の概要】
【発明が解決しようとする課題】
【０００４】
しかしながら、図７に示す従来の棟は、棟下地１０１の下面１０１ａのほぼ全面が屋根材１０３とほぼ密着した状態にある。又、棟下地１０１の外側面１０１ｂ及び上面１０１ｃが棟部材１１０の内側面とほぼ密着した状態になる。このような棟では、屋根の軒先側から棟部材１１０の内側に雨水が侵入したときに、棟下地１０１と屋根材１０３との間、又は棟下地１０１と棟部材１１０との間に毛細管現象が生じて、雨水が屋根の頂部に上がってしまう。屋根の頂部に上がった雨水は棟下地１０１や野地板１０２を腐食させ、棟構造の強度を著しく弱めてしまうという問題を有していた。
【０００５】
棟を構成する部材が腐食する、または、その構造がもろくなると棟が崩壊する場合も生じてくるため、施工後には定期的に棟を分解して部材を点検／交換した後に、再び組み立てるといったメンテナンスが必要であり、施工後にも多大な労力を要するものであった。
【０００６】
本発明は、斯かる実情に鑑み、棟を構成する部材の腐食が進行しにくい棟下地及び棟の施工方法を提供しようとするものである。
【課題を解決するための手段】
【０００７】
本発明は、棟の左右両側において別々に設けられることが可能な棟下地であって、野地板の板面上にて直接的にまたは間接的に設けられる平板部と、前記平板部の両端部において前記板面に対して起立するように設けられる起立部と、左右の前記起立部を起点にして左右方向へ延びるとともに、前記平板部と平行となる平行部と、左右の前記平行部から前記板面に向かって延びる延設部と、を備え、前記平板部と前記延設部の先端とが面一となっていることを特徴とする。
【０００８】
本発明は、連結部材を用いて、野地板に対して上記の棟下地を連結する施工方法であって、前記連結部材を前記平板部に貫通することを特徴とする施工方法。
【０００９】
本発明は、野地板に対して上記の棟下地を連結する施工方法であって、前記平板部に設けられたシール材充填溝にシール材を充填するステップと、前記シール材充填溝が前記野地板側に向いた姿勢で、前記棟下地を前記野地板の上に設置するステップと、前記棟下地を前記野地板に固定する固定ステップと、を備え、前記固定ステップでは、前記シール材充填溝よりも上側の前記平板部にて、前記連結部材を貫通させることを特徴とする。
【発明の効果】
【００１０】
本発明によれば、棟を構成する部材の腐食が進行しにくい棟下地及び棟の施工方法を提供することができる。
【図面の簡単な説明】
【００１１】
【図１】棟構造の概要を示す説明図である。
【図２】第１の棟下地の概要を示す斜視図である。
【図３】（Ａ）は、棟下地の材料となる板材の概要を示す断面図であり、下側の面は、未塗装面であり、上側の面は、塗装面である。（Ｂ）は、（Ａ）の板材を折り曲げ加工してなる棟下地の概要を示す断面図である。
【図４】第２の棟下地の概要を示す断面図である。
【図５】（Ａ）は、第３の棟下地の概要を示す断面図である。（Ｂ）は、第４の棟下地の概要を示す断面図である。
【図６】第５の棟下地の概要を示す断面図である。
【図７】従来の棟の概要を示す断面図である。
【発明を実施するための形態】
【００１２】
図１に示すように、棟構造２は、棟Ｍを形成する第１野地板１１及び第２野地板１２と、第１野地板１１及び第２野地板１２の上に配された屋根材１５と、屋根材１５の上に配された左右の棟下地２０と、左右の棟下地２０を覆うようにして設けられた棟部材３０と、を備える。
【００１３】
第１野地板１１は、紙面左側下がりとなるように斜めに配され、第２野地板１２は、紙面右側下がりとなるように斜めに配される。第１野地板１１及び第２野地板１２はいずれも木製である。また、屋根材１５や棟部材３０は、金属（例えば、ガルバニウム鋼鈑、トタン、ステンレス、銅等）、スレート、セメント、アスファルトシングル、陶器等、公知の材料から形成される。
【００１４】
棟下地２０は、棟Ｍの左右両側において別々に設けられることが可能なものである。
【００１５】
以下、図２〜６において、説明の便宜上、水平面内における任意の方向をＸ方向とし、水平面内における任意の方向のうちＸ方向と直交する方向をＹ方向とし、水平面に直交する方向をＺ方向とする。
【００１６】
図１〜２に示すように、棟下地２０は、屋根材１５の表面１５Ａ上にて直接的に設けられる平板部２１と、平板部２１の両端部において表面１５Ａに対して起立するように設けられる起立部２２、２３と、左側の起立部２２を起点にして左方向へ延びると左側平行部２４と、右側の起立部２３を起点にして右方向へ延びると右側平行部２５と、左側平行部２４から表面１５Ａに向かって延びる左側延設部２６と、右側平行部２５から表面１５Ａに向かって延びる右側延設部２７と、を備える。
【００１７】
上記実施形態では、棟下地２０を、屋根材１５の表面１５Ａ上に載置したが、野地板１１の板面１１Ａ上に載置してもよい。
【００１８】
平板部２１は、野地板１１に対する基本姿勢の確保、及び、野地板１１に対する固定に寄与する部分である。具体的には、棟下地２０と野地板１１との固定は、釘等の連結部材Ｒ１によって行なわれる。連結部材Ｒ１が平板部２１及び屋根材１５を介して野地板１１まで到達することにより、棟下地２０が野地板１１に対して固定される。
【００１９】
左側平行部２４と右側平行部２５とは、棟部材３０を下側から支持するためのものであり、起立部２２，２３は、左側平行部２４と右側平行部２５とを支持するためのものである。また、左側延設部２６や右側延設部２７も、左側平行部２４と右側平行部２５を支持するためのものとしてもよい。これにより、棟部材３０が強固に支持されるため、棟部材３０の上から誤って踏まれても、棟部材３０がつぶれにくくなる。
【００２０】
左側平行部２４と右側平行部２５とは、互いに面一となっていることが好ましい。これにより、棟Ｍの左側及び右側のいずれの側にも設置が可能となる。また、棟下地２０は、図２のＸ方向において、左右対称となっていることが好ましい。
【００２１】
平板部２１と延設部２６、２７の下端とが面一となっていることが好ましい。これにより、左側平行部２４と右側平行部２５が受けた負荷を、起立部２２、２３のみならず、延設部２６、２７によって支持することができる。さらに、汎用的な屋根材１５は平坦であるため、平板部２１と延設部２６、２７の下端とが面一となっていると、屋根材１５の上において安定して載置することができる。
【００２２】
棟部材３０と棟下地２０の固定を行うため、左側延設部２６や右側延設部２７のうち、屋根材１５の上に配された場合の下方側には、釘等の連結部材Ｒ２が貫通する。
【００２３】
なお、平板部２０と起立部２２，２３とがなす角の角度は、垂直であることが好ましい。同様に、起立部２２，２３と、左側平行部２４と右側平行部２５とがなす角の角度や、左側平行部２４、右側平行部２５と延設部２６、２７とがなす角の角度は、垂直であることが好ましい。
【００２４】
ところで、特許文献１に記載の棟下地の構造は、１枚で左右の野地板１１を覆うことができる一方、製造コストは高くなる。また、１つの部品サイズとしては大型化となるため、輸送時には嵩張り、重量も増すため、輸送も困難となる。また、断面く字状となっているため、輸送時に変形する恐れがある。この変形を抑えつつ輸送するためには養生などが必要になるため、実際に使用することは現実的ではない。
【００２５】
棟下地２０は、平板部２１と延設部２６、２７の下端とが面一となっており、平板部２１と延設部２６、２７の下端とが面一となっている。すなわち、棟下地２０は、断面形状の輪郭が矩形状となっているため、あらゆる場所に設置することができる。よって、左右の屋根の傾きが異なる棟や、片流れの棟にも適合できる。また、左右の屋根材において、所定の間隔ＣＬだけ離すこともできるため、換気棟等、あらゆる棟構造に適用可能である。さらに、このような棟下地２０は、壁抑えにも適用である。また、経年変化等によって屋根材が波打っている状態となっていても設置が可能であるため、改修工事等にも適している。
【００２６】
ところで、屋根材１５や棟部材３０が金属（例えば、ガルバニウム鋼鈑）からなる場合には、棟下地２０も同種金属である必要がある。このような棟下地２０は、図３（Ａ）に示すような金属製ＭＢの板から形成され、折り曲げ加工によって所期の形状（図３（Ｂ））となっていることが好ましい。金属製の板は、両面塗装の場合と片面塗装の場合があるが、片面塗装の方がコストも安くなるばかりか、後述のように、配置された棟下地２０が正規の向きであるか否かを判別できるメリットもある。
【００２７】
ここで、左側平行部２４と右側平行部２５とが互いに面一となっており、平板部２１と延設部２６、２７の下端とが面一となっている場合には、平らな屋根材１５の上において、棟下地２０を正規の向き、又は天地逆向きのいずれでも配置が可能となってしまう。棟下地２０を天地逆向きのまま設置されてしまうと、所期の強度が得られないこととなってしまう。
【００２８】
ここで、棟下地２０が両面塗装されている場合や、棟下地２０の未塗装面が内側と外側の両側に向いている場合には、施工現場において、いずれの向きが棟下地２０の正規の向きであるかを判別がつかない。棟下地２０の正規の向きは、マニュアルや図面をみることにより判別がつくものの、屋根の現場まで図面を持参する必要があること、及び、設置の都度、図面を見ながら作業することは、作業効率が下がる。そこで、本発明では、図３に示すように、棟下地２０を正規の向きで配置した場合、棟下地２０のうち外側の面は全て塗装面ＭＢ１であることが好ましい。このように片面塗装の金属板から棟下地２０をつくることにより、塗装面の向きで、棟下地２０が正規の向きで配置されているか否かを判別できる。
【００２９】
なお、棟下地２０のうち外側の面は全て塗装面ＭＢ１であることが好ましいとしたが、本発明はこれに限られず、棟下地２０の未塗装面ＭＢ０は全て内側に向いていることが好ましい。
【００３０】
この棟下地２０を用いると、平板部２１と延設部２６、２７の下端とが面一となっており、平板部２１を貫通する連結部材Ｒ１は棟下地２０を介して野地板１１に刺さった状態で固定される（図１）。このため、屋根材１５に沿って流れる風等が棟部材３０の端部３０Ｅや、延設部２６の下端に当たった場合、延設部２６の先端と野地板１１に対する棟下地２０の連結位置とはほぼ一直線上となるため、両者の位置関係がほぼ一直線上から外れた場合に比べ、棟部材３０の剥がれ等が起こりくい。
【００３１】
また、屋根材１５に沿って流れる風等が棟部材３０の端部３０Ｅに当たると、延設部２６がめくれ上がってしまうことがある。あるいは、棟部材３０と棟下地２０を連結する際、棟部材３０を介して延設部２６に連結部材Ｒ２を打ち付けようとすると、連結部材Ｒ２の打ち付けによって延設部２６が歪む場合もある。かかる事態を防ぐために、延設部２６の先端が折り返しされていることが好ましい（図４）。これにより、延設部２６の強度が増すため、延設部２６の歪み等の変形や、変形に起因するめくれ上がりの問題が解消される。
【００３２】
ところで、外部からの水分が連結部材Ｒ１に浸透してしまうと、連結部材Ｒ１が錆びる結果、棟下地２０が屋根材１５から外れてしまうおそれがある。かかる事態を防ぐために、延設部２６の下端は、平板部２１よりも屋根材１５に対して突出していることが好ましい（図５（Ａ））。これにより、延設部２６の下端は屋根材１５に対して付勢する結果、延設部２６と屋根材１５との隙間が形成されにくくなる。一方、かかる事態を防ぐために、延設部２６の下端は、平板部２１よりも屋根材１５に対して、「大きな隙間」ができるように退避していてもよい（図５（Ｂ））。「大きな隙間」としては、毛細管現象が起こる「わずかな隙間」に比べて大きなものであればよく、例えば、１．５ｍｍ以上であり、好ましくは２ｍｍ以上であり、より好ましくは、２．５ｍｍ以上である。これにより、延設部２６と屋根材１５との「わずかな隙間」が形成されにくくなるため、毛細管現象を利用して当該隙間を水分が浸入することがなくなる。
【００３３】
なお、水分が連結部材Ｒ１へ到達することを防ぐために、平板部２１のうち板面側に、シール材充填溝５０を形成してもよい（図６）。このシール材充填溝５０はＹ方向に延びる。棟下地２０を屋根材１５の上に設置した場合、シール材充填溝５０は、連結部材Ｒ１の貫通位置よりも下側（図６においては、Ｘ方向側）に位置することが好ましい。なお、図６では、煩雑になることを考慮し、シール材充填溝５０に充填されたシール材は省略している。
【００３４】
シール材充填溝５０が形成された棟下地２０を用いた施工方法は次のとおり行う。
【００３５】
まず、平板部２１に設けられたシール材充填溝５０にシール材を充填する充填ステップを行う。次に、シール材充填溝５０が屋根材１５側に向いた姿勢で、棟下地２０を屋根材１５の上に設置する設置ステップを行う。その後、棟下地２０を屋根材１５に固定する固定ステップと、を備える。固定ステップでは、シール材充填溝５０よりも上側の平板部２１にて、連結部材Ｒ１を貫通させる。その後、棟部材３０を取りつける。そして、棟部材３０を介して、延設部２６に連結部材Ｒ２を貫通させればよい。
【００３６】
これにより、屋根材１５と棟下地２０の隙間は、シール材充填溝５０でシールされる。このため、外部からの水分が、連結部材Ｒ１に浸透することがない。
【００３７】
上記実施形態では、棟下地２０を屋根材１５の上に設置したが、本発明はこれに限られず、棟下地２０を野地板１１の上に設置してもよい。
【００３８】
尚、本発明は、上記した実施の形態に限定されるものではなく、本発明の要旨を逸脱しない範囲内において種々変更を加え得ることは勿論である。
【符号の説明】
【００３９】
２     棟構造
１１   野地板
１１Ａ 板面
１５   屋根材
１５Ａ 表面
２０   棟下地
２１   平板部
２２   左側起立部
２３   右側起立部
２４   左側平行部
２５   右側平行部
２６   左側延設部
２７   右側延設部
３０   棟部材
５０   シール材充填溝
Ｒ１   連結部材
Ｒ２   連結部材
【図１】
2020172764.tif 000003
【図２】
2020172764.tif 000004
【図３】
2020172764.tif 000005
【図４】
2020172764.tif 000006
【図５】
2020172764.tif 000007
【図６】
2020172764.tif 000008
【図７】
2020172764.tif 000009